(57)【要約】【課題】記録媒体に録画されている番組の録画データを再生する際に、再生するチャプタまたはスキップするチャプタの選択状態を容易に反転できるようにして、再生すべきチャプタの設定が容易な再生装置を構成する。【解決手段】チャプタ毎の再生・非再生の選択入力を読み取って再生区別情報として記憶し、再生・非再生の区別の切替指示に応じて反転有無情報を記憶する再生区別情報切替手段を設け、再生区別情報と反転有無情報とに基づいて再生すべきチャプタを順次再生する。【選択図】図６
2007110293.tif 000002
【特許請求の範囲】
【請求項１】
記録媒体に録画されている番組の録画データを読み取る読取手段と、
再生される番組が複数のチャプタで構成される番組であるとき、この番組を構成するチャプタ毎に、その開始位置の時間情報を取得する時間情報取得手段と、
前記読取手段が読み取った録画データと前記時間情報取得手段により取得された各チャプタの時間情報とを基に映像信号を生成し、出力する再生手段と、
前記チャプタ毎の再生・非再生の選択入力を読み取って、当該チャプタ毎の再生・非再生の区別を記憶する再生区別情報記憶手段と、
前記再生・非再生の区別の切替指示に応じて前記再生・非再生の区別を一括に反転させる再生区別情報切替手段と、
前記再生・非再生の区別に応じて再生すべきチャプタのみを前記再生手段によって順に再生する再生制御手段と、を備え、
前記再生区別情報切替手段は前記再生区別情報の反転有無情報を記憶するものであり、前記再生制御手段は、前記再生区別情報と前記反転有無情報とに基づいて再生すべきチャプタを再生制御するものである再生装置。
【請求項２】
記録媒体に録画されている番組の録画データを読み取る読取手段と、
再生される番組が複数のチャプタで構成される番組であるとき、この番組を構成するチャプタ毎に、その開始位置の時間情報を取得する時間情報取得手段と、
前記読取手段が読み取った録画データと前記時間情報取得手段により取得された各チャプタの時間情報とを基に映像信号を生成し、出力する再生手段と、
前記チャプタ毎の再生・非再生の選択入力を読み取って、当該チャプタ毎の再生・非再生の区別を記憶する再生区別情報記憶手段と、
前記再生・非再生の区別の切替指示に応じて前記再生・非再生の区別を一括に反転させる再生区別情報切替手段と、
前記再生・非再生の区別に応じて再生すべきチャプタのみを前記再生手段によって順に再生する再生制御手段と、
を備えた再生装置。
【請求項３】
前記再生区別情報切替手段は前記再生区別情報の反転有無情報を記憶するものであり、前記再生制御手段は、前記再生区別情報と前記反転有無情報とに基づいて再生すべきチャプタを再生制御するものである請求項２に記載の再生装置。
【発明の詳細な説明】
【技術分野】
【０００１】
この発明は、ＤＶＤなどの記録媒体に録画されている番組の再生を行う再生装置に関するものである。
【背景技術】
【０００２】
従来、本体にセットされているＤＶＤなどの記録媒体に録画されている番組を再生する再生装置が一般に普及している。この種の再生装置は、チャプタ毎に区切られた番組を再生する際に、そのチャプタ番号を指定することによって任意のチャプタを視聴できるように構成している。
【０００３】
例えば、任意のチャプタの任意の箇所の複数の画像データをスキップしながら再生するようにしたものが特許文献１に示されている。
【０００４】
また、複数のチャプタを構成する画像データが含まれるビデオオブジェクトを格納するデータ記録領域と、画像データを管理・再生するために必要な制御情報を格納する制御情報記録領域とを有し、複数のチャプタの画像データの中から任意の箇所の画像データをスキップしながら再生するようにしたものが特許文献２に開示されている。
【特許文献１】特開２００３−４６９３０号公報
【特許文献２】特開２００３−７８８６０号公報
【発明の開示】
【発明が解決しようとする課題】
【０００５】
ところが、特許文献１・２に示されている装置では、任意のチャプタをスキップでき、また、メモリに設定したタイトルおよびチャプタを入力した順序で再生することはできるが、再生しようとするチャプタとスキップさせようとするチャプタとを一括して選択したり入れ替えたりすることはできなかった。
【０００６】
そのため、例えば複数のチャプタに区切られた番組を再生する際に、どのチャプタを再生し、どのチャプタをスキップするかといった設定を行うためには、各チャプタについて選択・非選択の設定をその都度行わなければならず、設定操作が煩雑であった。
【０００７】
そこで、この発明の目的は、記録媒体に録画されている番組の録画データを再生する際に、再生するチャプタまたはスキップするチャプタの選択状態を容易に反転できるようにして上述の問題を解消した再生装置を提供することにある。
【課題を解決するための手段】
【０００８】
この発明の再生装置は、上記課題を解決するために次のように構成する。
（１）記録媒体に録画されている番組の録画データを読み取る読取手段と、
再生される番組が複数のチャプタで構成される番組であるとき、この番組を構成するチャプタ毎に、その開始位置の時間情報を取得する時間情報取得手段と、
前記読取手段が読み取った録画データと前記時間情報取得手段により取得された各チャプタの時間情報とを基に映像信号を生成し、出力する再生手段と、
前記チャプタ毎の再生・非再生の選択入力を読み取って、当該チャプタ毎の再生・非再生の区別を記憶する再生区別情報記憶手段と、
前記再生・非再生の区別の切替指示に応じて前記再生・非再生の区別を一括に反転させる再生区別情報切替手段と、
前記再生・非再生の区別に応じて再生すべきチャプタのみを前記再生手段によって順に再生する再生制御手段と、
を備える。
【０００９】
この構成により、読取手段によって、記録媒体に録画されている番組の録画データが読み取られ、時間情報取得によって、再生される番組を構成するチャプタ毎にその開始位置の時間情報が取得され、再生手段によって上記録画データに基づく映像信号が生成されて出力される。また、再生区別情報記憶手段により、チャプタ毎の再生・非再生の選択入力が読み取られてチャプタ毎の再生・非再生の区別が記憶され、再生区別情報切替手段により、切替指示に応じて再生・非再生の区別が一括して反転される。そして、再生制御手段の制御によって、上記再生・非再生の区別に応じて再生すべきチャプタのみが上記再生手段によって順に再生される。
【００１０】
このように再生すべきチャプタとスキップすべきチャプタとを一括して反転可能としたことにより、例えば野球中継番組において、各イニングの表と裏とでチャプタを分けておき、味方チームの攻撃シーンのみ再生したり、逆に守備シーンのみを再生するといった切り替えが容易にできる。また、例えば、音楽番組において、トーク部分と歌謡部分とでチャプタを分けて、いずれか一方のみを切替えて再生するといったことが容易にできる。
【００１１】
（２）上記再生区別情報切替手段は、再生情報の反転有無情報を記憶するものとし、前記再生制御手段は、再生区別情報と反転有無情報とに基づいて、再生すべきチャプタを再生制御するものとする。
【００１２】
これにより再生区別情報の反転は上記反転有無情報を記憶するだけで行うことができ、再生区別情報の切替制御が容易となる。
【発明の効果】
【００１３】
この発明によれば、ユーザは、記録媒体に録画されている番組の再生を行う際、チャプタ単位で再生・非再生の選択ができ、しかもその再生・非再生の区別を一括に反転できるため、ユーザにとって目的に応じた必要なチャプタのみを切替えて再生することが容易にできるようになる。
【発明を実施するための最良の形態】
【００１４】
以下、この発明の実施形態である再生装置について各図を参照して説明する。
図１は、この発明の再生装置に相当するＤＶＤプレーヤの主要部の構成を示すブロック図である。
【００１５】
ＤＶＤプレーヤ１は、本体の動作を制御する制御部２と、本体にセットされたＤＶＤ１０に記録されている映像データおよび音声データを読み取る読取部３と、読取部３で読み取られた映像データおよび音声データをデコードするデータ処理部４と、後述する再生区別情報を含むディスク情報を記憶する設定情報記憶部５と、データ処理部４で処理された映像データに基づく映像と設定情報を示す映像とを重ね合わせた合成映像を生成する映像合成部６と、再生信号（映像信号および音声信号）を出力する出力部７と、本体に対する入力を受け付ける入力部８と、を備えている。
【００１６】
入力部８には、本体に設けられた操作キーや、リモコン装置（不図示）から送信されてきた入力コードを受信する受信部が含まれている。
【００１７】
図１に示した読取部３がこの発明に係る「読取手段」に相当し、（データ処理部４、映像合成部６、出力部７）が「再生手段」に相当し、データ処理部４が「時間情報取得手段」に相当し、（設定情報記憶部５、制御部２、入力部８）が「再生区別情報記憶手段」および「再生区別情報切替手段」に相当する。また制御部２が「再生制御手段」に相当する。
【００１８】
ＤＶＤ１０には、図２に示すように、１つまたは複数のタイトルが記録されている。また、タイトルは複数のチャプタで構成されている。通常、タイトルは１つの番組であり、チャプタは、ＤＶＤへ書き込む際に指定された、通常意味のある区間である。
【００１９】
上記チャプタはＤＶＤディスクへの書き込み時に、そのリードイン部分に、各チャプタの開始位置の時間情報として書き込まれている。したがって、所定のチャプタにアクセスするためにそのリードイン部分の各チャプタの開始位置の時間情報を取得して、対応する開始位置から書き込まれている録画データを順次読み取ると共に再生することによってそのチャプタを再生する。
【００２０】
図３はこのＤＶＤプレーヤの再生区別情報設定処理を示すフローチャートである。まず、ＤＶＤから録画データを読み取り、それに含まれているタイトルが複数である場合には、その複数のタイトルの選択画面を表示する（Ｓ１→Ｓ２→Ｓ３）。そして、ユーザによるタイトル選択入力を読み取る（Ｓ４）。
【００２１】
その後、選択されたタイトルに含まれている複数のチャプタの選択画面を表示する（Ｓ５）。例えば各チャプタを代表する静止画（先頭のフレーム）を並べて表示する。
【００２２】
ＤＶＤに単一のタイトルしか含まれていない場合には、上記タイトルの選択画面の表示および選択入力の読み取りはなく、直ちにこのチャプタ選択画面の表示へ移る（Ｓ２→Ｓ５）。
【００２３】
続いて、ユーザのキー操作による各チャプタの再生・非再生の選択入力を読み取る（Ｓ６）。例えば、ユーザは一覧表示されたチャプタのうち再生しようとするチャプタを順次選択していく。
【００２４】
その後、ユーザによる完了入力の読み取りを行い、完了入力が行われたら、各チャプタの再生・非再生の区別を再生区別情報として記憶する（Ｓ７→Ｓ８→Ｓ９）。上述の例では、再生すべきチャプタとして選択されなかったチャプタは非再生のチャプタとして記憶されることになる。
【００２５】
図４はこのＤＶＤプレーヤの再生処理を示すフローチャートである。まず、ＤＶＤから録画データを読み取り、それに含まれているタイトルが複数である場合には、その複数のタイトルの選択画面を表示する（Ｓ１１→Ｓ１２→Ｓ１３）。そして、ユーザによるタイトル選択入力を読み取る（Ｓ１４）。
【００２６】
その後、ユーザによる再生区別情報切替入力の読み取りを行う（Ｓ１５）。ＤＶＤに単一のタイトルしか含まれていない場合には、上記タイトルの選択画面の表示および選択入力の読み取りはなく、直ちにこの再生区別情報切替入力の読取へ移る（Ｓ１２→Ｓ１５）。
【００２７】
この再生区別情報切替入力があれば、再生区別情報の再生・非再生の選択状態の反転を行う（Ｓ１６→Ｓ１７）。但し、これは再生区別情報を書き替えるのではなく、その再生・非再生の選択状態の反転を行うか行わないかを示す反転有無情報を記憶することによって行う。
【００２８】
その後、再生区別情報と反転有無情報とに基づいて、再生すべきチャプタのみを順次再生する（Ｓ１８）。再生区別情報切替入力がなければ、反転有無情報の書換は行わない（Ｓ１６→Ｓ１８）。
【００２９】
図５は図１に示した設定情報記憶部５に書き込まれるディスク情報の構成について示している。このようにディスク情報は、ＤＶＤ１０のディスク名、そのＤＶＤ１０内に含まれているタイトル、各タイトルについてのチャプタ毎の再生区別情報、その再生・非再生の反転有無情報からなる。
【００３０】
図６は上記チャプタ毎の再生区別情報と反転有無情報とに基づいて行う再生制御について示す図である。再生区別情報として、チャプタ１〜チャプタ５が図６の（Ａ）に示すように選択・非選択されているものとし、反転有無情報が“０”（反転しない）であるか、“１”（反転する）であるかに応じて、（Ａ）に示すように各チャプタの再生と非再生（スキップ）とを決定する。
【００３１】
図６の（Ｂ）は上記反転有無情報が“０”（反転しない）の場合に再生されるチャプタであり、再生区別情報が「選択」のチャプタ、すなわちチャプタ１，２，４のみが順次再生される。
【００３２】
また図６の（Ｃ）は反転有無情報が“１”（反転する）の場合に再生されるチャプタであり、再生区別情報が「非選択」のチャプタすなわちチャプタ３，５のみが順次再生される。
【００３３】
なお、図４に示した例では、ＤＶＤの再生を行う際に再生区別情報の反転を行うか否かの入力を読み取り、その反転有無を記憶するようにしたので、次回にそのＤＶＤを再生する際には、前回の各チャプタの再生・非再生（スキップ）の状態がそのまま再現されることになる。
【００３４】
この反転有無情報の記憶を行わず、再生区別情報のみを記憶するように構成してもよい。その場合には、ＤＶＤの再生を行う都度、既に記憶されている再生区別情報がデフォルトとして扱われることになるので、必要に応じて再生区別情報の反転を指示すればよい。
【図面の簡単な説明】
【００３５】
【図１】この発明の実施形態に係るＤＶＤプレーヤの構成を示すブロック図である。
【図２】ＤＶＤに記録されている録画データの構成を示す図である。
【図３】同ＤＶＤプレーヤにおける再生区別情報設定処理に関するフローチャートであ。
【図４】同再生処理に関するフローチャートである。
【図５】ＤＶＤプレーヤ本体に設定されるディスク情報を示す図である。
【図６】再生区別情報と反転有無情報とに基づくチャプタの再生制御の例を示す図である。
【符号の説明】
【００３６】
１−ＤＶＤプレーヤ
２−制御部
３−読取部
４−データ処理部
５−設定情報記憶部
６−映像合成部
７−出力部
８−入力部
１０−ＤＶＤ
【図１】
2007110293.tif 000003
【図２】
2007110293.tif 000004
【図３】
2007110293.tif 000005
【図４】
2007110293.tif 000006
【図５】
2007110293.tif 000007
【図６】
2007110293.tif 000008